(57)【要約】      （修正有）【課題】光ファイバに引張方向の力が及ぼされたときに、モジュールと光ファイバの接合部に及ぼされる力を緩和できる光ファイバ装置を提供する。【解決手段】光ファイバ装置１０は、モジュール１２と、一端がモジュール１２に固定され、湾曲した第１部分１４Ａと、第１部分１４Ａの他端とつながり第１部分１４Ａよりも該モジュール１２から離れた位置にある第２部分１４Ｂと、を有する光ファイバ１４と、第１部分１４Ａを覆い、第２部分１４Ｂを外部に露出させるフード１６と、第１部分１４Ａが湾曲することで第１部分１４Ａに形成された凹面１４ａと、フード１６のうち凹面１４ａに対向する部分である対向部１６Ａとの間に設けられた弾性体２０と、を備える。光ファイバ１４が引張方向の力を受けたとき、凹面１４ａが弾性体２０にあたり、弾性体２０が変形する。【選択図】図１
2015184652.tif 000002
【特許請求の範囲】
【請求項１】
モジュールと、
一端が前記モジュールに固定され、湾曲した第１部分と、前記第１部分の他端とつながり前記第１部分よりも前記モジュールから離れた位置にある第２部分と、を有する光ファイバと、
前記第１部分を覆い、前記第２部分を外部に露出させるフードと、
前記第１部分が湾曲することで前記第１部分に形成された凹面と、前記フードのうち前記凹面に対向する部分である対向部との間に設けられた弾性体と、を備え、
前記光ファイバが引張方向の力を受けたとき、前記凹面が前記弾性体にあたり、前記弾性体が変形することを特徴とする光ファイバ装置。
【請求項２】
前記弾性体は、樹脂で形成されたことを特徴とする請求項１に記載の光ファイバ装置。
【請求項３】
前記弾性体は、ゴム又はスプリングで形成されたことを特徴とする請求項１に記載の光ファイバ装置。
【請求項４】
前記第１部分は前記凹面を複数備え、
前記弾性体は前記凹面と同数設けられたことを特徴とする請求項１〜３のいずれか１項に記載の光ファイバ装置。
【請求項５】
モジュールと、
一端が前記モジュールに固定され、湾曲した第１部分と、前記第１部分の他端とつながり前記第１部分よりも前記モジュールから離れた位置にある第２部分と、を有する光ファイバと、
前記第１部分を覆い、前記第２部分を外部に露出させるフードと、を有し、
前記フードは、
前記モジュールに固定された第１固定部と、
前記第２部分に固定された第２固定部と、
前記第１固定部と前記第２固定部の間に設けられ、前記光ファイバが引張方向の力を受けたときに前記引張方向に弾性変形する伸縮部と、を有することを特徴とする光ファイバ装置。
【請求項６】
前記伸縮部は蛇腹状に形成されたことを特徴とする請求項５に記載の光ファイバ装置。
【請求項７】
前記伸縮部はばねで形成されたことを特徴とする請求項５に記載の光ファイバ装置。
【発明の詳細な説明】
【技術分野】
【０００１】
本発明は、例えば光通信などに用いられる光ファイバ装置に関する。
【背景技術】
【０００２】
特許文献１には、光ファイバを有する光ファイバ装置が開示されている。この光ファイバ装置は、保持金具を用いて光ファイバの外皮をフードに固定するものである。
【先行技術文献】
【特許文献】
【０００３】
【特許文献１】特開２００５−１８９５８９号公報
【発明の概要】
【発明が解決しようとする課題】
【０００４】
モジュールに固定された光ファイバは引張方向の力を受けることがある。この引張方向の力がそのまま光ファイバとモジュールの接合部に及ぼされると、光ファイバとモジュールの接合部がダメージを受ける問題があった。
【０００５】
本発明は、上述のような課題を解決するためになされたもので、光ファイバに引張方向の力が及ぼされたときに、モジュールと光ファイバの接合部に及ぼされる力を緩和できる光ファイバ装置を提供することを目的とする。
【課題を解決するための手段】
【０００６】
本願の発明に係る光ファイバ装置は、モジュールと、一端が該モジュールに固定され、湾曲した第１部分と、該第１部分の他端とつながり該第１部分よりも該モジュールから離れた位置にある第２部分と、を有する光ファイバと、該第１部分を覆い、該第２部分を外部に露出させるフードと、該第１部分が湾曲することで該第１部分に形成された凹面と、該フードのうち該凹面に対向する部分である対向部との間に設けられた弾性体と、を備え、該光ファイバが引張方向の力を受けたとき、該凹面が該弾性体にあたり、該弾性体が変形することを特徴とする。
【０００７】
本願の発明に係る他の光ファイバ装置は、モジュールと、一端が該モジュールに固定され、湾曲した第１部分と、該第１部分の他端とつながり該第１部分よりも該モジュールから離れた位置にある第２部分と、を有する光ファイバと、該第１部分を覆い、該第２部分を外部に露出させるフードと、を有し、該フードは、該モジュールに固定された第１固定部と、該第２部分に固定された第２固定部と、該第１固定部と該第２固定部の間に設けられ、該光ファイバが引張方向の力を受けたときに該引張方向に弾性変形する伸縮部と、を有することを特徴とする。
【発明の効果】
【０００８】
本発明によれば、光ファイバに及ぼされる引張力の一部を、弾性体の弾性変形のために消費させるので、モジュールと光ファイバの接合部に及ぼされる力を緩和できる。
【図面の簡単な説明】
【０００９】
【図１】実施の形態１に係る光ファイバ装置の断面図である。
【図２】光ファイバに引張力を加えたときの光ファイバ装置の断面図である。
【図３】実施の形態２に係る光ファイバ装置の断面図である。
【図４】光ファイバに引張力を加えたときの光ファイバ装置の断面図である。
【図５】実施の形態３に係る光ファイバ装置の断面図である。
【図６】光ファイバに引張力を加えたときの光ファイバ装置の断面図である。
【図７】変形例に係る光ファイバ装置の断面図である。
【図８】光ファイバが引張力を受けたときの光ファイバ装置の断面図である。
【図９】実施の形態４に係る光ファイバ装置の断面図である。
【図１０】光ファイバに引張力を加えたときの光ファイバ装置の断面図である。
【図１１】実施の形態５に係る光ファイバ装置の断面図である。
【図１２】光ファイバに引張力を加えたときの光ファイバ装置の断面図である。
【発明を実施するための形態】
【００１０】
本発明の実施の形態に係る光ファイバ装置について図面を参照して説明する。同じ又は対応する構成要素には同じ符号を付し、説明の繰り返しを省略する場合がある。
【００１１】
実施の形態１．
図１は、本発明の実施の形態１に係る光ファイバ装置１０の断面図である。光ファイバ装置１０はモジュール１２を備えている。モジュール１２には光ファイバ１４が接続されている。光ファイバ１４は被覆膜で覆われている。光ファイバ１４は、第１部分１４Ａと第２部分１４Ｂを有している。第１部分１４Ａは、一端がモジュール１２に固定され、湾曲した部分である。第１部分１４Ａが湾曲することで第１部分１４Ａには凹面１４ａが形成されている。第２部分１４Ｂは、第１部分１４Ａの他端とつながり第１部分１４Ａよりもモジュール１２から離れた位置にある。
【００１２】
光ファイバ装置１０はフード１６を備えている。フード１６は、第１部分１４Ａを覆い、第２部分１４Ｂを外部に露出させる。フード１６を設けることで中空部１８が形成される。この中空部１８に第１部分１４Ａが収容されている。
【００１３】
中空部１８には弾性体２０が設けられている。弾性体２０は、凹面１４ａと、フード１６のうち凹面１４ａに対向する部分である対向部１６Ａとの間に設けられている。弾性体２０は、上に凸となる凸形状を有している。弾性体２０の凸形状の部分が第１部分１４Ａと接することで、第１部分１４Ａは凹面１４ａを有する湾曲した形状となっている。つまり、第１部分１４Ａは弾性体２０の上面に沿って設けられているので、第１部分１４Ａは弾性体２０と同様に上に凸となる凸形状を有している。なお、弾性体２０は、例えばスポンジ又はウレタンなどの樹脂で形成されている。
【００１４】
図２は、光ファイバ１４に引張方向の力（以後、単に引張力ということがある）を加えたときの光ファイバ装置１０の断面図である。光ファイバ１４が図２に矢印で示す引張力を受けると、湾曲した第１部分１４Ａが徐々に直線的になっていく。これに伴い凹面１４ａが弾性体２０を下方に押し付け、弾性体２０が弾性変形する。従って、光ファイバ１４に加えられた引張力の一部は、弾性体２０を弾性変形させることに消費される。これにより、当該引張力によってモジュール１２と第１部分１４Ａの接合部に及ぼされる力を緩和できる。
【００１５】
そして、光ファイバ１４に引張力がかからなくなると、弾性体２０が元の形状に戻り、再び第１部分１４Ａを湾曲させる。光ファイバ１４が引張力を受けていないときは弾性体２０が凹面１４ａに接するので、弾性体２０によって第１部分１４Ａの湾曲を維持できる。しかも、光ファイバ１４が引張力を受けていないときは、第１部分１４Ａは弾性体２０から力を受けないので、光ファイバ１４がダメージを受けづらくなっている。
【００１６】
その後、光ファイバ１４に再び引張力が及ぼされると、凹面１４ａが弾性体を下方に押し付け、引張力の一部が弾性体の弾性変形に消費される。なお、光ファイバ１４に引張力が及ぼされていないときに、第１部分１４Ａが湾曲していれば、弾性体２０と第１部分１４Ａが全面で接していなくてもよい。以下の実施の形態に係る光ファイバ装置についても同様である。
【００１７】
なお、以下の実施の形態に係る光ファイバ装置については、実施の形態１の光ファイバ装置との共通点が多いので、実施の形態１との相違点を中心に説明する。
【００１８】
実施の形態２．
図３は、本発明の実施の形態２に係る光ファイバ装置５０の断面図である。凹面１４ａと対向部１６Ａの間に弾性体５２が設けられている。弾性体５２は、ゴムで形成された複数の支柱である。弾性体５２は一端が対向部１６Ａ又はモジュール１２に固定され、他端が第１部分１４Ａに接している。弾性体５２が第１部分１４Ａと接することで、第１部分１４Ａは凹面１４ａを有する湾曲した形状となっている。
【００１９】
図４は、光ファイバ１４に引張力を加えたときの光ファイバ装置１０の断面図である。光ファイバ１４が図４に矢印で示す引張力を受けると、第１部分１４Ａの凹面１４ａが弾性体５２を下方に押し付け、弾性体５２が変形する。従って、光ファイバ１４に加えられた引張力の一部は、弾性体５２を弾性変形させることに消費される。これにより、当該引張力によってモジュール１２と第１部分１４Ａの接合部に及ぼされる力を緩和できる。
【００２０】
なお、弾性体５２は、例えばスプリングなどの長手方向に弾性を有するものであればよく、ゴム製の支柱に限定されない。
【００２１】
実施の形態３．
図５は、本発明の実施の形態３に係る光ファイバ装置１００の断面図である。光ファイバ１０２は、湾曲した第１部分１０２Ａと直線の第２部分１０２Ｂを備えている。第１部分１０２Ａは、凹面１０２ａ、１０２ｂを備えている。
【００２２】
弾性体１０４は、凹面１０２ａと対向部１６Ａの間に設けられている。弾性体１０４は上に凸となる凸形状を有している。弾性体１０４が第１部分１０２Ａと接することで、第１部分１０２Ａの凹面１０２ａが維持される。
【００２３】
弾性体１０６は、凹面１０２ｂと対向部１６Ｂの間に設けられている。弾性体１０６は下に凸となる凸形状を有している。弾性体１０６の当該凸形状が第１部分１０２Ａと接することで、第１部分１０２Ａの凹面１０２ｂが維持される。
【００２４】
図６は、光ファイバ１４に引張力を加えたときの光ファイバ装置１００の断面図である。光ファイバ１４が図６に矢印で示す引張力を受けると、第１部分１０２Ａの凹面１０２ａが弾性体１０４を下方に押し付け弾性体１０４を変形させるとともに、第１部分１０２Ａの凹面１０２ｂが弾性体１０６を上方に押し付け弾性体１０６を変形させる。
【００２５】
従って、光ファイバ１４に加えられた引張力の一部は、弾性体１０４、１０６を弾性変形させることに消費される。これにより、当該引張力によってモジュール１２と第１部分１０２Ａの接合部に及ぼされる力を緩和できる。
【００２６】
本発明の実施の形態３に係る光ファイバ装置１００は、凹面と凹面に接する弾性体とのペアを複数設けて、弾性体の弾性変形のために消費する力を高めたものである。従って、光ファイバ装置１００は、第１部分１０２Ａが凹面を複数備え、弾性体が当該凹面と同数設けられる限り様々な変形が可能である。
【００２７】
図７は、変形例に係る光ファイバ装置１５０の断面図である。弾性体１５２、１５４が設けられている。弾性体１５２が第１部分１０２Ａに凹面１０２ａを形成させ、弾性体１５４が第１部分１０２Ａに凹面１０２ｂを形成させている。図８は、光ファイバが引張力を受けたときの光ファイバ装置１５０の断面図である。引張力の一部は、弾性体１５２、１５４を弾性変形させることに消費される。
【００２８】
なお、図５、７では弾性体が２つの場合を示したが、弾性体の数を３以上にしてもよい。
【００２９】
実施の形態４．
図９は、本発明の実施の形態４に係る光ファイバ装置２００の断面図である。フード２０２は、第１固定部２０２Ａ、第２固定部２０２Ｂ、及び伸縮部２０２Ｃを有している。第１固定部２０２Ａは、モジュール１２に固定された部分である。
【００３０】
第２固定部２０２Ｂは突起部２０２ａを有している。突起部２０２ａによって形成される開口径を、第２部分１４Ｂの直径より小さくすることで、第２固定部２０２Ｂが第２部分１４Ｂに固定されている。
【００３１】
第１固定部２０２Ａと第２固定部２０２Ｂの間には伸縮部２０２Ｃが設けられている。伸縮部２０２Ｃは、光ファイバ１４が引張力を受けたときに引張方向に弾性変形する部分である。この伸縮部２０２Ｃは、例えばゴムで、蛇腹状に形成されている。
【００３２】
図１０は、光ファイバ１４に引張力を加えたときの光ファイバ装置２００の断面図である。光ファイバ１４が図１０に矢印で示す引張力を受けると、伸縮部２０２Ｃが引張方向に伸びて、伸縮部２０２Ｃが光ファイバ１４に対し引張方向と反対方向の力を及ぼす。よって、モジュール１２と第１部分１４Ａの接合部に及ぼされる力を緩和できる。そして、光ファイバ１４に引張力がかからなくなると、伸縮部２０２Ｃが元の形状に戻り、第１部分１４Ａを湾曲させる。
【００３３】
実施の形態５．
図１１は、本発明の実施の形態５に係る光ファイバ装置２５０の断面図である。フード２５２は、第１固定部２５４、第２固定部２５６、及び伸縮部２５８を有している。第２固定部２５６と伸縮部２５８は１つのばね２６０で形成されている。ばね２６０は、第１固定部２５４と接続された左端の部分で開口径が最大となり、右端の部分で開口径が最小になる。ばね２６０の最小の開口径は、光ファイバ１４の径よりも小さい。従って、第２固定部２５６は第２部分１４Ｂに固定されている。
【００３４】
図１２は、光ファイバ１４に引張力を加えたときの光ファイバ装置２５０の断面図である。光ファイバ１４が図１２に矢印で示す引張力を受けると、伸縮部２５８（ばね２６０）が引張方向に伸びて、伸縮部２５８が光ファイバ１４に対し引張方向と反対方向の力を及ぼす。よって、モジュール１２と第１部分１４Ａの接合部に及ぼされる力を緩和できる。そして、光ファイバ１４に引張力がかからなくなると、伸縮部２５８が元の形状に戻り、第１部分１４Ａを湾曲させる。
【００３５】
ばね２６０は、光ファイバ１４に弾性力を及ぼし引張力を緩和する伸縮部２５８として機能するとともに、第２部分１４Ｂに固定される第２固定部２５６として機能する。よって、実施の形態４の突起部２０２ａを省略することができる。
【００３６】
伸縮部は、光ファイバに弾性力を及ぼし引張力を緩和するものであればよく、この機能を有する限り伸縮部はばね又は蛇腹状の部分に限定されない。なお、ここまでで説明した各実施の形態に係る光ファイバ装置の特徴は適宜組み合わせてもよい。
【符号の説明】
【００３７】
１０  光ファイバ装置、  １２  モジュール、  １４  光ファイバ、  １４Ａ  第１部分、  １４Ｂ  第２部分、  １４ａ  凹部、  １６  フード、  １６Ａ  対向部、  １８  中空部、  ２０,５２,１０４,１０６,１５２,１５４  弾性体、  ２０２  フード、  ２０２Ａ  第１固定部、  ２０２Ｂ  第２固定部、  ２０２Ｃ  伸縮部、  ２０２ａ  突起部、  ２５２  フード、  ２５４  第１固定部、  ２５６  第２固定部、  ２５８  伸縮部
【図１】
2015184652.tif 000003
【図２】
2015184652.tif 000004
【図３】
2015184652.tif 000005
【図４】
2015184652.tif 000006
【図５】
2015184652.tif 000007
【図６】
2015184652.tif 000008
【図７】
2015184652.tif 000009
【図８】
2015184652.tif 000010
【図９】
2015184652.tif 000011
【図１０】
2015184652.tif 000012
【図１１】
2015184652.tif 000013
【図１２】
2015184652.tif 000014